(57)【特許請求の範囲】
【請求項１】
画像データを読み取るための画像読み取り手段と、
前記画像読み取り手段により読み取られた画像データに対して指定された条件の画像処理を実行するためには規定された時間以上必要であるか否かを判定する判定手段と、
前記画像読み取り手段により読み取られた画像データに対して、指定された条件の画像処理を実施して正式ファイルデータを生成する第１の処理実施手段と、
指定された条件の画像処理を実行するためには規定された時間以上必要であると前記判定手段により判定された場合に、前記画像読み取り手段により読み取られた画像データに対して、指定された条件の画像処理よりも処理量の少ない画像処理を実施して簡易ファイルデータを生成する第２の処理実施手段と、
指定された条件の画像処理を実行しても規定された時間以上必要でないと前記判定手段により判定された場合に、前記第１の処理実施手段により画像処理された正式ファイルデータのみを指定された転送先の装置に転送し、指定された条件の画像処理を実行するためには規定された時間以上必要であると前記判定手段により判定された場合に、前記第１の処理実施手段により画像処理された正式ファイルデータを転送する以前に、前記第２の処理実施手段により画像処理された簡易ファイルデータを指定された転送先の装置に転送する転送手段とを有し、
前記第２の処理実施手段は、画像処理を実施した簡易ファイルデータ中に前記第１の処理実施手段における画像処理の進捗情報の表示を含め、処理の進捗状況に応じて前記簡易ファイルデータ中に含める表示内容を更新し、
前記転送手段は、表示内容が更新された簡易ファイルデータを転送先の装置に転送する画像処理装置。
【請求項２】
前記第２の処理実施手段は、画像処理を実施した簡易ファイルデータ中に、指定された条件とは異なる条件の画像処理が行われた旨の表示を含める請求項１記載の画像処理装置。
【請求項３】
前記第２の処理実施手段は、画像処理を実施した簡易ファイルデータ中に前記第１の処理実施手段における画像処理の終了を予測する情報である処理終了予測情報の表示を含める請求項１記載の画像処理装置。
【請求項４】
前記データ転送手段は、転送しようとする画像データを格納するための新たな階層を生成するよう指定された転送先の装置に指示し、生成された階層内に前記第１および第２の処理実施手段により画像処理された画像データを転送する請求項１から３のいずれか１項記載の画像処理装置。
【請求項５】
画像データを読み取り、
読み取られた画像データに対して指定された条件の画像処理を実行するためには規定された時間以上必要であるか否かを判定し、
指定された条件の画像処理を実行しても規定された時間以上必要でないと判定された場合に、読み取られた画像データに対して、指定された条件の画像処理を実施することにより正式ファイルデータのみを生成して指定された転送先の装置に転送し、
指定された条件の画像処理を実行するためには規定された時間以上必要であると判定された場合に、読み取られた画像データに対して、指定された条件の画像処理よりも処理量の少ない画像処理を実施することにより簡易ファイルデータを生成し、
生成された前記簡易ファイルデータを指定された転送先の装置に転送し、
読み取られた画像データに対して、指定された条件の画像処理を実施することにより正式ファイルデータを生成する処理を開始し、
前記正式ファイルデータを生成するための画像処理の進捗情報の表示を前記簡易ファイルデータ内に含め、画像処理の進捗状況に応じて前記簡易ファイルデータ中に含める表示内容を更新し、
表示内容が更新された簡易ファイルデータを転送先の装置に転送し、
生成された前記正式ファイルデータを指定された転送先の装置に転送する画像データ転送方法。
【請求項６】
前記簡易ファイルデータを生成する際に、前記簡易ファイルデータ内に指定された条件とは異なる条件の画像処理が行われた旨の表示を含める請求項５記載の画像データ転送方法。
【請求項７】
前記簡易ファイルデータを生成する際に、前記簡易ファイルデータ内に前記第１の処理実施手段における画像処理の終了を予測する情報である処理終了予測情報の表示を含める請求項５記載の画像データ転送方法。
【請求項８】
簡易ファイルデータを指定された転送先の装置に転送する前に、転送しようとする画像データを格納するための新たな階層を生成するよう指定された転送先の装置に指示する請求項５から７のいずれか１項記載の画像データ転送方法。
【請求項９】
画像データを読み取るステップと、
読み取られた画像データに対して指定された条件の画像処理を実行するためには規定された時間以上必要であるか否かを判定するステップと、
指定された条件の画像処理を実行しても規定された時間以上必要でないと判定された場合に、読み取られた画像データに対して、指定された条件の画像処理を実施することにより正式ファイルデータのみを生成して指定された転送先の装置に転送するステップと、
指定された条件の画像処理を実行するためには規定された時間以上必要であると判定された場合に、読み取られた画像データに対して、指定された条件の画像処理よりも処理量の少ない画像処理を実施することにより簡易ファイルデータを生成するステップと、
生成された前記簡易ファイルデータを指定された転送先の装置に転送するステップと、
読み取られた画像データに対して、指定された条件の画像処理を実施することにより正式ファイルデータを生成する処理を開始するステップと、
前記正式ファイルデータを生成するための画像処理の進捗情報の表示を前記簡易ファイルデータ内に含め、画像処理の進捗状況に応じて前記簡易ファイルデータ中に含める表示内容を更新するステップと、
表示内容が更新された簡易ファイルデータを転送先の装置に転送するステップと、
生成された前記正式ファイルデータを指定された転送先の装置に転送するステップとをコンピュータに実行させるためのプログラム。
【請求項１０】
前記簡易ファイルデータを生成するステップでは、前記簡易ファイルデータ内に指定された条件とは異なる条件の画像処理が行われた旨の表示を含める請求項９記載のプログラム。
【請求項１１】
前記簡易ファイルデータを生成するステップでは、前記簡易ファイルデータ内に正式ファイルデータを生成するための画像処理の終了を予測する情報である処理終了予測情報の表示を含める請求項９記載のプログラム。
【請求項１２】
簡易ファイルデータを指定された転送先の装置に転送する前に、転送しようとする画像データを格納するための新たな階層を生成するよう指定された転送先の装置に指示する請求項９から１１のいずれか１項記載のプログラム。
【発明の詳細な説明】
【技術分野】
【０００１】
本発明は、画像データを読み取って処理するスキャナ等の画像処理装置に関し、特に、読み取った画像データを他の装置に転送するための画像データ転送方法に関する。
【背景技術】
【０００２】
近年、スキャナ等の画像処理装置がネットワークに接続されるようになってきている。このようにネットワークに接続されたスキャナでは、読み取った画像データをネットワークを介して接続された他の装置に転送することができる機能が備えられている。このようなスキャナで原稿を読み取ってパーソナルコンピュータ（以下、パソコンと略す。）等の端末装置に画像データを転送する場合、スキャナでは読み取った画像データを、解像度、白黒／カラーの選択等の指定された条件で処理を行ってから端末装置に転送している。そして、一般的にスキャナ等で読み取った画像データはデータ量が多い。そのため、スキャナにおいてスキャン操作が完了してから画像データの処理が行われ、端末装置に転送されてくるまでには時間がかかる。その結果、読み取る原稿のファイルサイズが大きくなるにつれ、端末装置に処理された画像データが転送されるまでの時間がかなり長くなってしまう。
【０００３】
このように原稿がスキャナで読み取られてから端末装置に画像データが転送されるまでの時間が長くなると、利用者は下記のような不安を感じる。
【０００４】
（１）指定したファイル送信先アドレスを、スキャナに正しく設定したかどうか。
（２）転送されるファイルが指定した条件（解像度、白黒／カラーの選択等）で処理されているか。
（３）機器や通信経路に障害が発生したのではないか。
【０００５】
このような利用者の不安を解消するために、ネットワークに接続されたスキャナ等の機器の状態を確認することができるような様々な方法が提案されている（例えば、特許文献１、２参照。）。
【０００６】
特許文献１には、ネットワークに接続される機器の処理状態を予め設定された通知先に送信するようにした方法が開示されている。また、特許文献２には、電子メール等の通信手段を用いて、ネットワークに接続されたスキャナの動作条件をパソコン等の端末装置から知り得るようにした処理状態通知方法が開示されている。
【０００７】
しかし、このような従来の方法では、スキャナの動作状態や動作条件等を知ることはできるが、画像データを転送する以外の他の通信手段を使用したり、スキャナのデバイス状態を監視する等の本来必要が無い操作を利用者に要求することになる。
【０００８】
【特許文献１】特開平９−２３３２１３号公報
【特許文献２】特開２００３−２８８１８２号公報
【発明の開示】
【発明が解決しようとする課題】
【０００９】
上述した従来の画像処理装置では、読み取られた画像データが端末装置等に転送されてくるまでの間に利用者の不安を解消しようとすると、利用者に本来必要の無い操作を要求することになり操作が煩雑になってしまうという問題点があった。
【００１０】
本発明の目的は、読み取られた画像データが端末装置等に転送されてくるまでの時間が長くなった場合でも、利用者に特別な操作を要求することなく利用者の不安を解消することができる画像処理装置および画像データ転送方法を提供することである。
【課題を解決するための手段】
【００１１】
［画像処理装置］
上記目的を達成するために、本発明の画像処理装置は、画像データを読み取るための画像読み取り手段と、
前記画像読み取り手段により読み取られた画像データに対して、指定された条件の処理を実施する第１の処理実施手段と、
前記画像読み取り手段により読み取られた画像データに対して、指定された条件の処理よりも処理量の少ない処理を実施する第２の処理実施手段と、
前記第１の処理実施手段により処理された画像データを転送する以前に、前記第２の画像処理手段により処理された画像データを指定された転送先の装置に転送する転送手段とを有する。
【００１２】
本発明によれば、指定された条件の処理が行われた画像データを指定された転送先の装置に転送する前に、指定された条件の処理よりも処理量の少ない処理が実施された画像データが転送先の装置に転送される。従って、利用者は、設定した転送先の情報や設定した読み取り条件等が間違っていないことを確認することができ、正式な画像データが転送されてくるまでの間に不安にならなくてすむ。
【００１３】
好ましくは、前記第２の処理実施手段は、処理を実施した画像データ中に、指定された条件とは異なる条件の処理が行われた旨を表示する。
好ましくは、前記第２の処理実施手段は、処理を実施した画像データ中に処理終了予測情報を表示する。
【００１４】
好ましくは、前記第２の処理実施手段は、処理を実施した画像データ中に前記第１の処理実施手段における処理の進捗情報を表示し、処理の進捗状況に応じて表示内容を更新する。
【００１５】
好ましくは、前記データ転送手段は、転送しようとする画像データを格納するための新たな階層を生成するよう指定された転送先の装置に指示し、生成された階層内に前記第１および第２の画像処理手段により処理された画像データを転送する。
【００１６】
［画像データ転送方法］
また、本発明の画像データ転送方法は、画像データを読み取り、
読み取られた画像データに対して、指定された条件の処理よりも処理量の少ない処理を実施することにより簡易ファイルを生成し、
生成された前記簡易ファイルを指定された転送先の装置に転送し、
読み取られた画像データに対して、指定された条件の処理を実施することにより正式ファイルを生成し、
生成された前記正式ファイルを指定された転送先の装置に転送する。
【００１７】
［プログラム］
また、本発明のプログラムは、画像データを読み取るステップと、
読み取られた画像データに対して、指定された条件の処理よりも処理量の少ない処理を実施することにより簡易ファイルを生成するステップと、
生成された前記簡易ファイルを指定された転送先の装置に転送するステップと、
読み取られた画像データに対して、指定された条件の処理を実施することにより正式ファイルを生成するステップと、
生成された前記正式ファイルを指定された転送先の装置に転送するステップとをコンピュータに実行させる。
【発明の効果】
【００１８】
以上説明したように、本発明によれば、読み取られた画像データが端末装置等に転送されてくるまでの時間が長くなった場合でも、利用者に特別な操作を要求することなく利用者の不安を解消することができるという効果を得ることができる。
【発明を実施するための最良の形態】
【００１９】
次に、本発明の実施の形態について図面を参照して詳細に説明する。
【００２０】
[第１の実施形態]
図１は本発明の第１の実施形態の画像処理装置１０を含むシステムの構成を示す図である。
図１に示すシステムでは、パソコン等の端末装置２０と画像処理装置１０とがネットワーク１４により接続された構成となっている。
【００２１】
図１では、画像処理装置１０として複写機が示されているが、画像処理装置には、スキャナ、ファクシミリ装置、ファクシミリ機能や複写機能を備えた複合機プリンタ等の、画像を読み取ることが可能な全ての装置が含まれるものとする。
【００２２】
本実施形態の画像処理装置１０は、スキャナ機能により読み取った画像データをネットワーク１４を経由して端末装置２０に転送することができるようになっている。ここでは、端末装置２０が、転送先の装置として指定されているものとする。
【００２３】
次に、本実施形態の画像処理装置１０のハードウェア構成を図２に示す。
画像形成装置１０は、図２に示されるように、ＣＰＵ１８、メモリ１９、ハードディスクドライブ（ＨＤＤ）等の記憶装置２２、ネットワーク１４を介して外部のコンピュータなどとデータの送信及び受信を行う通信インタフェース（ＩＦ）２４、タッチパネル又は液晶ディスプレイ並びにキーボードを含むユーザインタフェース（ＵＩ）装置２６、スキャナ２８を有する。これらの構成要素は、制御バス１６を介して互いに接続されている。
【００２４】
ＣＰＵ１８は、メモリ１９または記憶装置２２に格納された画像処理プログラムに基づいて所定の処理を実行して、画像処理装置１０の動作を制御する。
【００２５】
図３は、上記の画像処理プログラムが実行されることにより実現される画像処理装置１０の機能構成を示すブロック図である。
本実施形態の画像処理装置１０は、図３に示されるように、画像読み取り手段３１と、指定処理実施手段３２と、簡易処理実施手段３３と、データ転送手段３４とを有している。
【００２６】
画像読み取り手段３１は、セットされた原稿の画像データを読み取る。
指定処理実施手段３２は、画像読み取り手段３１により読み取られた画像データに対して、利用者により指定された条件の処理を実行する。
【００２７】
簡易処理実施手段３３は、画像読み取り手段３１により読み取られた画像データに対して、指定された条件の処理よりも処理量の少ない処理を実行する。
【００２８】
処理量の少ない処理としては、例えば、サムネイル形式の画像生成処理、２値化処理、減色処理、低解像度化処理、高圧縮率の非可逆圧縮処理、複数ページのうちの先頭のページのみの処理等が考えられる。ここで、サムネイル形式とは、本来の画像データの概略の縮小イメージ画像を表示する表示形式である。
【００２９】
また、一般的に処理量が多い処理としては、高圧縮ＰＤＦ（Portable Document Format）ファイルの生成処理、ＯＣＲ（Optical Character Reader）処理、２次元コード認識処理等がある。
【００３０】
また、簡易処理実施手段３３は、処理を実施した画像データ中に、指定された条件とは異なる条件の処理が行われた旨、または正式な画像データは現在処理中である旨のアノテーション（注意書き）を表示する。また、簡易処理実施手段３３は、処理を実施した画像データ中に、指定処理実施手段３２による処理が終了すると予測される時刻等の処理終了予測情報を表示するようにしてもよい。また、簡易処理実施手段３３は、処理を実施した画像データ中に、スキャンを行った日時情報を表示するようにしてもよい。
【００３１】
データ転送手段３４は、指定処理実施手段３２により処理された画像データを転送する以前に、簡易処理実施手段３３により処理された画像データを指定された転送先の装置である端末装置２０に転送する。
【００３２】
また、データ転送手段３４は、転送しようとする画像データを格納するための新たなディレクトリ（階層）を生成するよう端末装置２０に指示し、生成された階層内に指定画像処理手段３２または簡易処理実施手段３３により処理された画像データを転送する。
【００３３】
次に、本実施形態の画像処理装置１０の動作を図４のフローチャートを参照して説明する。
【００３４】
先ず、画像処理装置１０は、利用者に対して、読み取りを行う原稿の読み取り条件、送信先の設定を要求する（Ｓ１０１）。そして、この読み取り条件および送信先が設定されると、画像処理装置１０の画像読み取り手段３１は、セットされた原稿の読み取りを開始する（Ｓ１０２）。そして、指定された画像処理が規定された時間以上必要かどうかが判定され（Ｓ１０３）、規定された時間以上必要でないと判定された場合には、読み取られた画像データは指定処理実施手段３２により指定された条件の処理が実施され、データ転送手段３４により指定された転送先の端末に転送される（Ｓ１０６）。
【００３５】
Ｓ１０３において、指定された画像処理が規定された時間以上必要であると判定された場合、データ転送手段３４は、先ず転送先の装置である端末装置２０に対して、送信する画像データを格納するためのディレクトリを新たに生成するよう指示を行う（Ｓ１０４）。
【００３６】
このようにして生成されたディレクトリの一例を図５に示す。この図５に示す例では、作成されたディレクトリとして、ホルダを示されており、その名称には“現在、○○データは処理中です。”という表示が含まれている。
【００３７】
そして、画像読み取り手段３１により読み取られた画像データは、簡易処理実施手段３３により、指定された条件よりも処理量の少ない画像処理、例えば、２値化画像の生成処理が行われる。そして、生成された画像データは、データ転送手段３４により、簡易ファイルデータとして端末装置２０上に作成されたディレクトリ内に転送される（Ｓ１０５）。
【００３８】
このようにして生成された簡易ファイルデータの一例を図６に示す。
この図６に示される例では、画像読み取り手段３１により読み取られた画像データに基づいて生成された白黒の２値化画像中に“正式なデータは、カラー画像で送られてきます。”というアノテーションが挿入されている。この例では、指定された読み取り条件は、カラー表示であったため、簡易ファイルを見た利用者が設定した読み取り条件が間違ってしまったと誤解しないようにするためにこのような表示が行われている。
【００３９】
そして、指定処理実施手段３２により、指定された条件の画像処理が終了すると、データ転送手段３４は、指定処理実施手段３２による処理が実施された画像データを正式ファイルとして端末装置２０上に作成されたディレクトリに転送する（Ｓ１０６）。
【００４０】
また、正式ファイルが端末装置２０に転送される際に、簡易ファイルがディレクトリ内に残っている場合には、この簡易ファイルを削除するようにしてもよい。
【００４１】
次に、図７のシーケンスチャートを用いて本実施形態の画像処理装置１０と端末装置２０との間における動作を説明する。
先ず、画像処理装置１０は、セットされた原稿の画像データを読み取る（Ｓ２０１）。すると、データ転送手段３４は、転送先の端末装置２０にディレクトリ作成の指示を行う（Ｓ２０２）。この指示を受けた端末装置２０では、転送されてくる画像データを格納するためのディレクトリを新たに生成する（Ｓ２０３）。この時点において利用者は、画像処理端末装置１０に設定した転送先の指定に誤りが無かったことを知ることができる。
【００４２】
そして、簡易処理実施手段３３は、画像読み取り手段３１により読み取られた画像データに基づいて簡易ファイルを作成し、データ転送手段３４はこの簡易ファイルデータを端末装置２０に転送する（Ｓ２０４）。すると、端末装置２０では、Ｓ２０３において作成されたディレクトリ内に、簡易ファイルが転送されてくることになる（Ｓ２０５）。この時点において利用者は、セットした原稿が間違ってないことを確認することができる。さらに、この簡易ファイル内に挿入されたアノテーションの内容により、設定した読み取り条件が正しいことや、処理終了予測時間等の情報を知ることも可能である。
【００４３】
そして、指定処理実施手段３２により指定された条件の画像処理が行われて正式ファイルデータの生成が終了すると（Ｓ２０６）、データ転送手段３４は、この正式ファイルデータを端末装置２０上にディレクトリに転送する（Ｓ２０７）。すると、端末装置２０は、この正式ファイルデータを受信する（Ｓ２０８）。
【００４４】
次に、本実施形態の画像処理装置１０による効果を説明するため、従来の画像処理装置における動作を図８のシーケンスチャートを参照して説明する。
【００４５】
先ず、画像処理装置は、セットされた原稿の画像データを読み取る（Ｓ３０１）。そして、読み取られた画像データに対して、指定された条件での画像処理が行われる（Ｓ３０２）。そして、この画像処理が終了すると、画像処理装置は画像データを端末装置に転送する（Ｓ３０３）。端末装置は、転送されてきた画像データを受信する（Ｓ３０４）。
【００４６】
このように従来の画像処理装置は、指定された画像処理が完全に終了した後に画像データの転送を行うため、端末装置では、指定された条件の画像処理が行われた画像データが転送されてくるまで、設定した読み取り条件や転送先が間違っていなかったか不安をいだくことになる。
【００４７】
これに対して、本実施形態の画像処理装置１０によれば、正式ファイルが端末装置２０に転送される前に、ディレクトリが作成され、簡易ファイルが転送されてくるので、利用者は、設定した読み取り条件や転送先が間違っていなかったことを確認することができる。
【００４８】
なお、端末装置２０にディレクトリが生成された後や、簡易ファイルデータが転送された後に、指定処理実施手段３２における処理が失敗してしまった場合には、端末装置２０上に作成されたディレクトリや、その中に格納された簡易ファイルデータを削除したり、処理が失敗したことを知り得ることができるような画像データを端末装置２０に転送するようにしてもよい。
【００４９】
[第２の実施形態]
次に、本発明の第２の実施形態の画像処理装置について説明する。
【００５０】
上記第１の実施形態では、簡易ファイルを転送先の端末装置に転送した後は、正式ファイルの処理が終了して転送を行うまで端末装置に対して特に処理が行われなかった。しかし、読み取った原稿量が多くて正式ファイルの処理に長時間を要するような場合、利用者は、簡易ファイルを受信した後に正式ファイルが転送されてこないと何らかの障害が発生したのではないかと不安にあることも考えられる。
【００５１】
そのため、本実施形態の画像処理装置では、簡易ファイルデータ中に、指定された処理の進捗情報の表示をアノテーションとして含めるようにし、処理の進捗状況に応じて表示内容を更新する。
【００５２】
つまり、本実施形態における簡易処理実施手段３３は、処理を実施した画像データ中に、指定処理実施手段３２における処理の進捗情報を表示し、処理の進捗状況に応じて簡易ファイルデータの表示内容を更新する。そして、データ転送手段３４は、更新された簡易ファイルデータを端末装置２０に転送する。
【００５３】
次に、本実施形態の画像処理装置の動作を図９のフローチャートを参照して説明する。図９において、図４中のステップと同一内容のステップには同一の符号を付し、説明を省略するものとする。
【００５４】
図９に示すフローチャートは、図４に示したフローチャートに対してＳ４０１、Ｓ４０２の処理が追加されたものである。そのため、ここでは、Ｓ４０１、Ｓ４０２の処理のみについて説明する。
【００５５】
本実施形態における簡易処理実施手段３３は、簡易ファイルの転送後に、指定処理実施手段３２における正式ファイルの処理が終了したか否かを監視し（Ｓ４０１）、正式ファイルの処理が終了していない場合、正式ファイル作成のための処理の進捗状況に応じて簡易ファイル内に表示したアノテーションの内容を更新する（Ｓ４０２）。
【００５６】
そして、アノテーションの内容が更新された簡易ファイルは、データ転送手段３４により端末装置２０に転送される。
【００５７】
簡易ファイルの更新は、例えば、一定時間毎に行ってもよいし、正式ファイルの一定ページ数の処理が終了する毎に行ってもよいし、正式ファイルのファイルサイズが一定量増加する毎に行ってもよい。
【００５８】
このようにしてアノテーションの内容が更新される簡易ファイルの一例を図１０に示す。
図１０に示す例では、９００枚の原稿が画像読み取り手段３１により読み取られて処理が行われる場合が示されている。
【００５９】
図１０（ａ）では、９００枚中９８枚目が処理中である旨を示すアノテーションが表示されているが、その後内容が更新され、図１０（ｂ）では、９００枚中１２４枚目が処理中である旨を示すアノテーションが表示されている。
【００６０】
このように、本実施形態の画像処理装置によれば、利用者は、正式ファイルの処理の進捗情報を得て、正式ファイルの処理が実行されていることを知ることができるので、正式ファイルが転送されてくるまでの間に不安にならなくてすむ。
【図面の簡単な説明】
【００６１】
【図１】本発明の第１の実施形態の画像処理装置１０を含むシステムの構成を示す図である。
【図２】本発明の第１の実施形態の画像処理装置１０のハードウェア構成を示すブロック図である。
【図３】本発明の第１の実施形態の画像処理装置１０の機能構成を示すブロック図である。
【図４】本発明の第１の実施形態の画像処理装置１０の動作を示すフローチャートである。
【図５】本発明の第１の実施形態の画像処理装置１０により転送先の端末装置２０上に生成されたディレクトリの一例を示す図である。
【図６】本発明の第１の実施形態の画像処理装置１０により生成された簡易ファイルデータの一例を示す図である。
【図７】本発明の第１の実施形態の画像処理装置１０の動作を説明するためのシーケンスチャートである。
【図８】従来の画像処理装置の動作を説明するためのシーケンスチャートである。
【図９】本発明の第２の実施形態の画像処理装置の動作を示すフローチャートである。
【図１０】本発明の第２の実施形態の画像処理装置により生成された簡易ファイルデータの一例を示す図である。
【符号の説明】
【００６２】
１０    画像処理装置
１２    端末装置
１４    ネットワーク
１６    制御バス
１８    ＣＰＵ
１９    メモリ
２０    端末装置
２２    記憶装置
２４    通信インタフェース（ＩＦ）
２６    ユーザインタフェース（ＵＩ）装置
２８    スキャナ
３１    画像読み取り手段
３２    指定処理実施手段
３３    簡易処理実施手段
３４    データ転送手段
Ｓ１０１〜Ｓ１０６    ステップ
Ｓ２０１〜Ｓ２０８    ステップ
Ｓ３０１〜Ｓ３０４    ステップ
Ｓ４０１、Ｓ４０２    ステップ
【図１】
0004645988.tif 000002
【図２】
0004645988.tif 000003
【図３】
0004645988.tif 000004
【図４】
0004645988.tif 000005
【図５】
0004645988.tif 000006
【図６】
0004645988.tif 000007
【図７】
0004645988.tif 000008
【図８】
0004645988.tif 000009
【図９】
0004645988.tif 000010
【図１０】
0004645988.tif 000011